(57)【要約】【課題】被写体の撮像を加工して出力する撮像方法及び装置、特にＴＶ電話など被写体に動きがある場合に、画像を所望の状態に調整して出力できる加工撮像方法及び装置を提供すること。【解決手段】合焦点及び絞り機構を有する第１レンズ系と、受光ユニットとを少なくとも備えた撮像装置において、第１レンズ系と受光ユニットとの間に、第１レンズ系から受光ユニットに至る光路に対して傾斜したハーフミラーを設置すると共に、ハーフミラーの前面における第１レンズ系と対称の方位に照明ユニットを設置して、ハーフミラーによって反射された照明光が、第１レンズ系を通って第１被写体へ向かうように構成し、第１レンズ系の合焦点及び絞り機構によって得た第１被写体の情報に応じて、照明ユニットからハーフミラーに至る光路に設けられ照明光の透過部位を調整する照明マスク手段を制御して、撮像画像を加工する。【選択図】  図３
2004153550.tif 000002
【特許請求の範囲】
【請求項１】
合焦点及び絞り機構を有する第１レンズ系と、受光ユニットとを少なくとも備えた撮像装置において、
第１レンズ系と受光ユニットとの間に、第１レンズ系から受光ユニットに至る光路に対して傾斜したハーフミラーを設置すると共に、
ハーフミラーの前面における第１レンズ系と対称の方位に照明ユニットを設置して、
ハーフミラーによって反射された照明光が、第１レンズ系を通って第１被写体へ向かうように構成し、
第１レンズ系の合焦点及び絞り機構によって得た第１被写体の情報に応じて、照明ユニットからハーフミラーに至る光路に設けられ照明光の透過部位を調整する照明マスク手段を制御して、加工を施した撮像画像を得る
ことを特徴とする加工撮像方法。
【請求項２】
合焦点及び絞り機構を有する第１レンズ系と、受光ユニットとを少なくとも備えた撮像装置において、
第１レンズ系と受光ユニットとの間に、第１レンズ系から受光ユニットに至る光路に対して傾斜したハーフミラーを設置すると共に、
ハーフミラーの前面における第１レンズ系と対称の方位に照明ユニットを設置して、
ハーフミラーによって反射された照明光が、第１レンズ系を通って第１被写体へ向かうように構成し、
第１レンズ系の合焦点及び絞り機構によって得た第１被写体の情報に応じて、受光ユニットの前部に設けられ受光の透過部位を調整する受光マスク手段を制御して、加工を施した撮像画像を得る
ことを特徴とする加工撮像方法。
【請求項３】
合焦点及び絞り機構を有する第１レンズ系と、受光ユニットとを少なくとも備えた撮像装置において、
第１レンズ系と受光ユニットとの間に、第１レンズ系から受光ユニットに至る光路に対して傾斜したハーフミラーを設置すると共に、
ハーフミラーの前面における第１レンズ系と対称の方位に照明ユニットを設置して、
ハーフミラーによって反射された照明光が、第１レンズ系を通って第１被写体へ向かうように構成し、
更に、照明ユニットからハーフミラーに至る光路に、照明光の透過部位を調整する照明マスク手段と、
第１レンズ系の合焦点及び絞り機構によって得た第１被写体の情報に応じて、照明マスク手段を制御して、撮像画像に加工を施す照明マスク制御手段と
を備えることを特徴とする加工撮像装置。
【請求項４】
合焦点及び絞り機構を有する第１レンズ系と、受光ユニットとを少なくとも備えた撮像装置において、
第１レンズ系と受光ユニットとの間に、第１レンズ系から受光ユニットに至る光路に対して傾斜したハーフミラーを設置すると共に、
ハーフミラーの前面における第１レンズ系と対称の方位に照明ユニットを設置して、
ハーフミラーによって反射された照明光が、第１レンズ系を通って第１被写体へ向かうように構成し、
更に、受光ユニットの前部に、受光の透過部位を調整する受光マスク手段と、第１レンズ系の合焦点及び絞り機構によって得た第１被写体の情報に応じて、受光マスク手段を制御して、撮像画像に加工を施す受光マスク制御手段と
を備えることを特徴とする加工撮像装置。
【請求項５】
マスク手段が、透過液晶マスクである
請求項３または４に記載の加工撮像装置。
【請求項６】
マスク手段が、透過光の光量を調整する光量調整手段を備える
請求項３ないし５に記載の加工撮像装置。
【請求項７】
ハーフミラーの後面における受光ユニットと対称の方位に、吸光手段を有する廃光ユニットを付設した
請求項３ないし６に記載の照明付き撮像装置。
【請求項８】
ハーフミラーの後面における受光ユニットと対称の方位に、合焦点及び絞り機構を有する第２レンズ系を付設した
請求項３ないし６に記載の照明付き撮像装置。
【請求項９】
第２レンズ系が撮像する第２被写体が、第１被写体と関連のある情報であり、第２被写体と第１被写体とを合成して出力する合成出力制御手段を備えた
請求項８に記載の照明付き撮像装置。
【請求項１０】
第１被写体が発する音声を文字情報に変換して、第２被写体として出力する音声文字変換出力手段を備えた
請求項９に記載の照明付き撮像装置。
【請求項１１】
音声文字変換出力手段が、翻訳機能を備えた
請求項１０に記載の照明付き撮像装置。
【請求項１２】
照明ユニットによる第１被写体への光照射とは異なる方位で、第１被写体に光照射を行う照明手段が付設された
請求項３ないし１１に記載の照明付き撮像装置。
【発明の詳細な説明】
【０００１】
【発明の属する技術分野】
本発明は、被写体の撮像を加工して出力する撮像方法及び装置、特に被写体に動きがある場合に用いる撮像装置に関する。
【０００２】
【従来の技術】
従来から、被写体の撮像を加工して出力したいという需要は高い。
例えば、人物を撮像するのなら綺麗に映したく、また、文字情報を添加して映したい場合などもある。
特に、被写体に動きがある場合、リアルタイムで撮像に加工を加えられれば有用である。
【０００３】
相手と向かい合いながら、通信回線を経由して対話をするビデオカンファレンス（ＴＶ電話）時の顔画像は、そのような動きのある被写体としての典型と言える。
ＴＶ電話の起源は意外に古く、ＴＶ技術の歴史とともに始まる。１９２４年に、アメリカＲＣＡが、無線による写真電送実験を行った。その僅か４年後の１９２８年に、ニューヨークでＴＶ放送が開始され、１回３０分で週３回の放送が行われた。１９３０年頃には、既にニューヨークで最初のＴＶ電話実験が行われた。続いて１９３５年には、横浜記念大博覧会において、日本最初のＴＶ電話実験が行われた。その後１９６０年代には、先進諸国で電話の需要の先行きが見えてきたため、ＴＶ電話の研究は先進国で盛んに行われた。日本におけるＴＶ電話は、１９７０年の大阪万博において、迷子の連絡用に試行されたのはそう記憶に古くない。多くの人が待ち望んだ通信技術であったことは確かである。
【０００４】
しかし、それからというもの、普及は伸び悩んだ。当初、商品化にあたっては、通信料が電話の十数倍になることが予想された。
だが、今や回線の帯域も太くなり、また計算機の性能上昇の恩恵により、リアルタイムで動画を圧縮し、展開する技術も整ってきた。現在、テレビ会議システムとして使用している企業も少なからず存在する。パーソナルコンピュータにＴＶ会議用ボードを追加するだけで、簡単にＴＶ電話の機能が付加できるＰｈｏｅｎｉｘがＮＴＴより発売されているが、各個人（コンシューマーレベル）では普及率はそれほど高くはない。
【０００５】
普及しない理由の１つは、表てに現れにくい「本当の理由」が見つけ難かったことである。
概論を述べると、まず楽観的に考えた時にＴＶ電話の普及には賛成だが、いざ使うとなると設置の問題や、ずっと続けて使用するのには抵抗がある、または現在の電話で十分とも思わせる電話の利便性、という実情の二重構造に気づく必要があった。
【０００６】
本発明者が調査を行った結果、使用に抵抗を感じる原因の１つに「相手を観たいが自分は観られたくない」というある種の我儘があることがわかった。大人であれば自らの我儘を隠そうとするので、つい別の言い訳を回答してしまっていたことが明らかになった。
この別の理由付けを回答するという現象は、留守番電話に対する抵抗感への言い訳でも現れる。いざ留守番機能付き電話機を購入し、意気揚々と凝った案内メッセージも作ったのに、電話をかけてきたほとんどの人に何も吹きこまれないまま無言で切られてしまう、ということはよく聞く話である。
このような現象は、使う側と使われる側の立場の差異が生み出したものである。
【０００７】
ＴＶ電話を実際に使用するにあたり、使用者の抵抗感には次のようなものが挙げられる。
知らない人、嫌いな人には顔を見せたくない。
部屋などの背景を観られたくない。
２４時間いつでも対応できるような顔や服装ではない。
視線が合わないので違和感がある。
相手に対して、どういう画像を見せているのかがわからないので不安。
顔だけでなく、書類等も見せたい。
他人（同居人等）が通話相手の会話内容を聞けないのと同様に、他人に通話相手を見せたくない。
照明で他人に「光」による迷惑をかけたくない。
【０００８】
被写体を撮像する際には、従来から諸々の照明が使われている。
例えば、被写体が人物である場合、単なる証明写真であっても、照明の具合で全く印象が異なってしまうので、綺麗に写すための照明の条件は重要である。綺麗に映らないかも知れないという心的抵抗だけでさえ、ＴＶ電話が普及しない要因になっている。
【０００９】
複雑で高価な手段を用いて照明を行う場合であっても、単灯照明の場合、被写体には、真正面から光を当てないと、濃くて望ましくない影が生じてしまうという根本的な問題点がある。
従来では、多数の照明を多方向から同時に当てて、人工的な照明によって生じた影が不自然に濃くならないように、互いに打ち消し合わせていた。
このように従来の技術では、照明に付随する影を消すためには、複数の照明を配備することが必要であり、また、それらの照明手段と、レンズや受光ユニットから成る撮像手段とは分離独立されていた。しかも、照明は、スタンドに固定された形態が主であるので、撮像装置との位置関係の調整に労力を要していた。
【００１０】
【発明が解決しようとする課題】
そこで、本発明は、被写体の撮像を加工して出力する撮像方法及び装置、特に、ＴＶ電話など被写体に動きがある場合に、画像を所望の状態に調整して出力できる加工撮像方法及び装置を提供することを課題とする。
【００１１】
【課題を解決するための手段】
上記課題を解決するために、本発明の加工撮像方法は、次の構成を備える。
すなわち、合焦点及び絞り機構を有する第１レンズ系と、受光ユニットとを少なくとも備えた撮像装置において、第１レンズ系と受光ユニットとの間に、第１レンズ系から受光ユニットに至る光路に対して傾斜したハーフミラーを設置すると共に、ハーフミラーの前面における第１レンズ系と対称の方位に照明ユニットを設置して、ハーフミラーによって反射された照明光が、第１レンズ系を通って第１被写体へ向かうように構成し、第１レンズ系の合焦点及び絞り機構によって得た第１被写体の情報に応じて、照明ユニットからハーフミラーに至る光路に設けられ照明光の透過部位を調整する照明マスク手段を制御して、加工を施した撮像画像を得ることを特徴とする。
【００１２】
また、合焦点及び絞り機構を有する第１レンズ系と、受光ユニットとを少なくとも備えた撮像装置において、第１レンズ系と受光ユニットとの間に、第１レンズ系から受光ユニットに至る光路に対して傾斜したハーフミラーを設置すると共に、ハーフミラーの前面における第１レンズ系と対称の方位に照明ユニットを設置して、ハーフミラーによって反射された照明光が、第１レンズ系を通って第１被写体へ向かうように構成し、第１レンズ系の合焦点及び絞り機構によって得た第１被写体の情報に応じて、受光ユニットの前部に設けられ受光の透過部位を調整する受光マスク手段を制御して、加工を施した撮像画像を得るようにしても、同様の作用を得られる。
【００１３】
これらの方法を実施する装置は、合焦点及び絞り機構を有する第１レンズ系と、受光ユニットとを少なくとも備えた撮像装置において、第１レンズ系と受光ユニットとの間に、第１レンズ系から受光ユニットに至る光路に対して傾斜したハーフミラーを設置すると共に、ハーフミラーの前面における第１レンズ系と対称の方位に照明ユニットを設置して、ハーフミラーによって反射された照明光が、第１レンズ系を通って第１被写体へ向かうように構成し、更に、照明ユニットからハーフミラーに至る光路に、照明光の透過部位を調整する照明マスク手段と、第１レンズ系の合焦点及び絞り機構によって得た第１被写体の情報に応じて、照明マスク手段を制御して、撮像画像に加工を施す照明マスク制御手段とを備えることを特徴とする。
【００１４】
または、同様に、合焦点及び絞り機構を有する第１レンズ系と、受光ユニットとを少なくとも備えた撮像装置において、第１レンズ系と受光ユニットとの間に、第１レンズ系から受光ユニットに至る光路に対して傾斜したハーフミラーを設置すると共に、ハーフミラーの前面における第１レンズ系と対称の方位に照明ユニットを設置して、ハーフミラーによって反射された照明光が、第１レンズ系を通って第１被写体へ向かうように構成し、更に、受光ユニットの前部に、受光の透過部位を調整する受光マスク手段と、第１レンズ系の合焦点及び絞り機構によって得た第１被写体の情報に応じて、受光マスク手段を制御して、撮像画像に加工を施す受光マスク制御手段とを備えるように構成してもよい。
【００１５】
ここで、マスク手段を透過液晶マスクで構成して、撮像のリアルタイムでの精細な加工に寄与させてもよい。
【００１６】
マスク手段に、透過光の光量を調整する光量調整手段を設けて、眩しさの防止など各種利便に寄与させてもよい。
【００１７】
ハーフミラーの後面における受光ユニットと対称の方位に、吸光手段を有する廃光ユニットを付設して、照明ユニットからの光が受光ユニットに混入することの防止に寄与させてもよい。
【００１８】
ハーフミラーの後面における受光ユニットと対称の方位に、合焦点及び絞り機構を有する第２レンズ系を付設して、文字情報の付加など出力画像の合成に寄与させてもよい。
【００１９】
第２レンズ系が撮像する第２被写体が、第１被写体と関連のある情報であり、第２被写体と第１被写体とを合成して出力する合成出力制御手段を設けて、有用な画像の提供に寄与させてもよい。
【００２０】
第１被写体が発する音声を文字情報に変換して、第２被写体として出力する音声文字変換出力手段を設けて、音声の画像化に寄与させてもよい。
【００２１】
音声文字変換出力手段に翻訳機能を設けて、言語的障壁の除去に寄与させてもよい。
【００２２】
照明ユニットによる第１被写体への光照射とは異なる方位で、第１被写体に光照射を行う照明手段を付設して、立体的な撮像に寄与させてもよい。
【００２３】
【発明の実施の形態】
以下に、本発明の実施形態を図面を用いて説明する。
図１及び２は、本発明による加工撮像装置の要部を示す説明図であり、図２は、図１に示した基本構成に第２レンズ系を設けた状態を示すものである。また、図３は、本発明装置を用いたシステムの説明図である。
加工撮像装置（２０）は、合焦点及び絞り機構を有する第１レンズ系（２１）を、第１被写体（１０）に対向させて配置される。
第１レンズ系（２１）は、被写体への距離や光量によって、受光ユニット（２２）に適切な像を結ぶため、光学系を調節する機構を備える。
【００２４】
第１レンズ系（２１）によって受光した光の進行方向には、マウント（２３）を介して、受光ユニット（２２）が接続される。
受光ユニット（２２）には、フィルムや、ＣＣＤ、ＣＭＯＳなどの受光素子が配備される。好ましくは、電子電気的な受光素子が配備され、図示のように、制御装置（３０）に接続される。
【００２５】
そして、第１レンズ系（２１）と受光ユニット（２１）との間には、第１レンズ系（２１）から受光ユニット（２２）に至る光路に対して傾斜したハーフミラー（２４）が設置される。
ハーフミラー（２４）は、所定の割合で光を反射すると共に透過させる素材かな成るが、反射と透過との比率は、ここでは特に限定されない。
また、第１レンズ系（２１）から受光ユニット（２２）に至る光路に対するハーフミラー（２４）の傾斜角度は、図示の例では４５°になっているが、後述の条件を満たしさえすれば任意である。
【００２６】
ハーフミラー（２４）の前面における第１レンズ系（２１）と対称の方位には、照明ユニット（２５）が設置される。
そのため、照明ユニット（２５）から発した照明光は、ハーフミラー（２４）によって反射され、第１レンズ系（２１）を通って第１被写体（１０）に照射される。
【００２７】
図示の例では、第１レンズ系（２１）から受光ユニット（２２）に至る光路に対するハーフミラー（２４）の傾斜角度が４５°であるので、ハーフミラー（２４）と照明ユニット（２５）とを結ぶ光路に対するハーフミラー（２４）の傾斜角度も同じく４５°に設定され、ハーフミラー（２４）から第１レンズ系（２１）への方向と、ハーフミラー（２４）から照明ユニット（２５）への方向とが直交している。
しかし、照明ユニット（２５）は、ハーフミラー（２４）の前面における第１レンズ系（２１）と対称の方位に位置すればよいので、第１レンズ系（２１）から受光ユニット（２２）に至る光路に対するハーフミラー（２４）の傾斜角度を例えば３０°にすれば、ハーフミラー（２４）と照明ユニット（２５）とを結ぶ光路に対するハーフミラー（２４）の傾斜角度も同じく３０°に設定され、ハーフミラー（２４）から第１レンズ系（２１）への方向と、ハーフミラー（２４）から照明ユニット（２５）への方向とのなす角は６０°となる。
このように、ハーフミラー（２４）の前面に関して、照明ユニット（２５）と第１レンズ系（２１）とを対称の方位に位置させさえすれば、第１レンズ系（２１）から受光ユニット（２２）に至る光路に対するハーフミラー（２４）の傾斜角度は任意に設定できる。
【００２８】
なお、照明ユニット（２５）には、好ましくは略直進し拡散しない光を提供する手段が設けられる。
単なる電球では拡散光になってしまうので、電球に対しては、凹レンズなどの付帯部材を設けることが望まれる。また、この部分をオープンにしたりフレネルレンズや他の集光装置を付けたりして、外部からの光を取り込む設計にしてもよい。
また、第１被写体（１０）に対する照明手段であるので、スリガラス等の像を軟化させる部材を用いて、模様等が無く均質な光にすることが望ましい。
【００２９】
また、受光ユニット（２２）と同様に、照明ユニット（２５）をマウントを介して着脱自在にすると共に、ハーフミラー（２４）を取り外し自在にして、照明を使わない形態に設定変更できるようにしてもよい。
それには、単に、ハーフミラー（２４）を跳ね上げて、照明ユニット（２５）の開口部を塞ぎ、第１レンズ系（２１）から受光ユニット（２２）に至る光路を開放できるように構成するだけでもよい。
【００３０】
以上のように、被写体用照明を撮像装置の中に一体的に組み込むと、単数の照明を用いて、第１被写体（１０）に正面から光を当てることができ、照明に付随する影を捨象することが可能になる。
また、簡易な構成で照明ユニット（２５）が内包されているので、近接撮像の場合であっても、被写体を照らすことができる。
なお、通常の受光光路にハーフミラー（２４）を追加することに伴い、第１レンズ系（２１）と受光ユニット（２２）との距離が伸びるが、これには、従来の一眼レフカメラのレンズ設計技術を転用することができる。
【００３１】
照明ユニット（２５）からの照明光は、ハーフミラー（２４）を透過して、受光ユニット（２２）に混入する場合があり得る。
そこで、ハーフミラー（２４）を透過した照明光を除去する手段を設けた。
ハーフミラー（２４）の後面において、受光ユニット（２２）と対称な方位に、吸光手段を有する廃光ユニット（２６）を付設する。
ハーフミラー（２４）の後面における受光ユニット（２２）と対称な方位は、照明ユニット（２５）からハーフミラー（２４）に向かう光路の延長上なので、ハーフミラー（２４）を透過した照明光は、真っ直ぐ廃光ユニット（２６）に至ることになり、効率よく照明ユニット（２５）からの光が受光ユニットに混入することを防止することができる。
このように廃光ユニット（２６）の位置は、照明ユニット（２５）の位置、換言すればハーフミラー（２４）の傾斜角度に応じて調整することが望まれるが、必ずしもその位置に限定する必要はない。
廃光ユニット（２６）としては、黒色の植毛や、モルトプレーン、フェルトなど、反射率が低く耐熱性の高い素材が利用できる。
【００３２】
ここで、照明ユニット（２５）とハーフミラー（２４）との間には、照明マスク手段として透過液晶マスク（２８）が設けられる。
透過液晶マスク（２７）は、制御装置（３０）からの信号によって、動的かつ部分的に光の透過率を変える液晶で構成される。
これによって、第１レンズ系（２１）の合焦点及び絞り機構によって得た第１被写体（１０）の画像情報に応じて、照明ユニット（２５）からの照明光の透過部位と透過強度が調整され、加工の施された撮像画像が出力される。
【００３３】
例えば、第１レンズ系（２１）の焦点が、第１被写体（１０）としての話者の顔に合っていると、話者の形に切り取った形状を呈示する透過液晶マスク（２７）を経由した照明光のエッジも焦点が合い、背景等に余計な光が漏れないようにできる。
また、話者の目部分だけ光量を下げるように、透過液晶マスク（２７）を調整すれば、眩しくない照明が提供できる。
【００３４】
なお、第１被写体（１０）に動きが乏しい場合は、透過液晶マスク（２８）の代わりに、不透明・半透明な素材を用いて静的なマスク手段を用いてもよい。
【００３５】
このようなマスク手段は、受光ユニット（２２）の直前に配設してもよい。
すなわち、第１レンズ系（２１）の合焦点及び絞り機構によって得た第１被写体（１０）の画像情報に応じて、制御装置（３０）で、受光ユニット（２２）の前部に設けられ受光の透過部位と透過強度を調整する受光マスク手段を制御して、加工を施した撮像画像を提供する。
【００３６】
また、ハーフミラー（２４）の後面における受光ユニット（２２）と対称の方位に、合焦点及び絞り機構を有する第２レンズ系（２８）を付設してもよい。
すると、第１レンズ系（２１）で得た第１被写体（１０）と、第２レンズ系（２８）で得た第２被写体（１１）とを、合成出力制御手段を備えた制御装置（３０）（３１）を介して、適宜合成加工して出力することができる。
【００３７】
第２レンズ系（２８）で撮像する第２被写体（１１）は、第１被写体（１０）の画像情報と関連のあるものにすると有用である。
例えば、第１被写体（１０）の画像情報を補足する文字情報を、紙面やディスプレイで第２被写体（１１）として呈示する。
更に、人物等の第１被写体（１０）が発する音声を文字情報に変換して、その文字を第２被写体（１１）として出力する音声文字変換出力手段を制御装置（３１）に設けて、音声の画像化に寄与させてもよい。
その音声文字変換出力手段に、外国語などを翻訳する機能を付設すると、言語的障壁が除かれ、円滑な意志疎通を図ることができる。
【００３８】
このような第２レンズ系（２８）を付設した装置によると、次のようなＴＶ電話等に活用できる。
第１被写体（１０）としての話者を、第１レンズ系（２１）で撮像する一方、その手元を、照明ユニット（２５）によって照らしつつ、第２被写体（１１）として手元のメモ書きを撮像する。
【００３９】
話者の顔を撮像するか、メモ内容を撮像するか、またはそれらを合成するかは、各レンズ系（２１）（２８）の絞り機構や蓋、ＮＤフィルタ等でも調節可能である。メモ書き撮像しない場合は、第２レンズ系（２８）の絞りを閉じるか、施蓋する等の措置をとり廃光ユニット（２６）としてもよい。
第１レンズ系（２１）の光量を「多」、第２レンズ系（２８）の光量を「少」とすれば、第１被写体（１０）の上に、メモ内容を薄くスーパーインポーズしたような状態で表示できる。
反対に、第１レンズ系（２１）の光量を「少」、第２レンズ系（２８）の光量を「多」とすれば、メモ内容の上に、第１被写体（１０）を薄くスーパーインポーズしたような状態で表示できる。
また、第１レンズ系（２１）の光量を「無」とすれば、メモ書きのみの画像を、反対に、第２レンズ系（２８）の光量を「無」とすれば、第１被写体（１０）のみの画像を表示できる。
【００４０】
上述のように動的マスクが可能であり照明手段を内包したレンズ系は、複数用いてもよい。
すなわち、照明ユニット（２５）による第１被写体（１０）への光照射とは異なる方位で、第１被写体（１０）に光照射を行う照明手段を付設する。
例えば２台用い、１台は７、もう１台は３の比率の光量で照らすと、立体感のある第１被写体（１０）の画像を得ることが可能になる。
特に、屋内で他の照明を消して使用すると、背景を映すことなく、第１被写体（１０）を立体的に撮像できる利点がある。
【００４１】
【発明の効果】
本発明は、上述の構成を備えることによって、次の効果を奏する。
すなわち、請求項１に記載の加工撮像方法、または、請求項３に記載の加工撮像装置によると、照明マスク手段によって、第１レンズ系で得た第１被写体の情報に応じて、照明ユニットからの照明光の透過部位が調整されるので、その被写体の撮像を加工して出力することができる。特に、リアルタイムでの処理が可能なので、ＴＶ電話など被写体に動きがある場合に有用である。
【００４２】
請求項２に記載の加工撮像方法、または、請求項４に記載の加工撮像装置によると、同様に、受光マスク手段によって、第１レンズ系で得た第１被写体の情報に応じて、照明ユニットからの照明光の透過部位が調整されるので、その被写体の撮像を加工して出力することができる。特に、リアルタイムでの処理が可能なので、ＴＶ電話など被写体に動きがある場合に有用である。
【００４３】
請求項５に記載の加工撮像装置によると、透過液晶マスクが用いられるので、撮像画像をリアルタイムで精細に加工することができる。
【００４４】
請求項６に記載の加工撮像装置によると、マスク手段が透過光量調整手段を備えるので、被写体への配慮や画像の加工性などが向上する。
【００４５】
請求項７に記載の加工撮像装置によると、ハーフミラーの後面における受光ユニットと対称の方位に、廃光ユニットが備わっているので、照明ユニットからの光が受光ユニットに混入することを防止できる。
【００４６】
請求項８に記載の加工撮像装置によると、ハーフミラーの後面における受光ユニットと対称の方位に、合焦点及び絞り機構を有する第２レンズ系が備わるので、文字情報の付加など出力画像を合成することができる。
【００４７】
請求項９に記載の加工撮像装置によると、関連性のある第２被写体と第１被写体とが合成されて出力されるので、有用な画像を提供することができる。
【００４８】
請求項１０に記載の加工撮像装置によると、音声が画像化されるので、情報量が多く有用な画像を提供することができる。
【００４９】
請求項１１に記載の加工撮像装置によると、音声文字変換出力手段に翻訳機能が備わるので、言語的障壁が取り除かれる。
【００５０】
請求項１２に記載の加工撮像装置によると、複数の方位から第１被写体に光照射が行われるので、立体感のある撮像画像を得られる。
【図面の簡単な説明】
【図１】本発明による加工撮像装置の要部説明図
【図２】図１に示した基本構成に第２レンズ系を設けた状態を示す説明図
【図３】本発明装置を用いたシステムの説明図
【符号の説明】
１０        第１被写体
１１    第２被写体
２０    照明付き撮像装置
２１    第１レンズ系
２２    受光ユニット
２３    マウント
２４    ハーフミラー
２５    照明ユニット
２６    廃光ユニット
２７    透過液晶マスク
２８    第２レンズ系
３０、３１    制御装置
【図１】
2004153550.tif 000003
【図２】
2004153550.tif 000004
【図３】
2004153550.tif 000005